(57)【要約】      （修正有）【課題】歯ブラシの柄部分に装着される歯ブラシの液洩防止のための構成で歯ブラシの柄部分の大部分を覆うケース状であり、且つ歯ブラシを水平あるいは歯ブラシの先端を下方に傾けた場合にても一旦ケース内に導入された液が洩れ出ないような構成の液洩防止ケースを提供する。【解決手段】液や飛沫を受け止めるように拡径された開口部２と、歯ブラシの柄部分Ｇを挟持する挟持部３と、軟質合成樹脂製あるいはゴム製の本体の肉が内側に隆起した弁孔部のある逆止弁４１を持つ握りやすい形状の把持部４により、歯ブラシ用の逆止弁付液洩防止ケース１を構成する。【選択図】図１
0003156551.tif 000002
【実用新案登録請求の範囲】
【請求項１】
歯ブラシの柄部分に装着される歯ブラシの液洩防止ケースであって、開口端部が拡径されて歯ブラシのブラシ部分からの液や飛沫を受け止めるように構成されている開口部、歯ブラシの柄部分を挟持する複数の突出片から構成される突出部を有する挟持部、内側に隆起する隆起部分と該隆起部分の中心に形成される空隙である弁孔部から構成される逆止弁を有する把持部、から構成され、把持部の逆止弁は、全体が軟質合成樹脂製あるいはゴム製であって、該逆止弁が構成されている把持部の本体も軟質合成樹脂製あるいはゴム製で、その形状は手に握りやすい把持部として構成されていることを特徴とする逆止弁付液洩防止ケース。
【考案の詳細な説明】
【技術分野】
【０００１】
本考案は、歯ブラシの柄部分に装着される歯ブラシの液洩防止ケースであって、開口端部が拡径されて歯ブラシのブラシ部分からの液や飛沫を受け止めるように構成されている開口部、歯ブラシの柄部分を挟持する複数の突出片から構成される突出部を有する挟持部、内側に隆起する隆起部分と該隆起部分の中心に形成される空隙である弁孔部から構成される逆止弁を有する把持部、から構成され、把持部の逆止弁は、全体が軟質合成樹脂製あるいはゴム製であって、該逆止弁が構成されている把持部の本体も軟質合成樹脂製あるいはゴム製で、その形状は手に握りやすい把持部として構成されていることを特徴とする逆止弁付液洩防止ケースに関するものである。
【背景技術】
【０００２】
従来から、歯ブラシの柄部分に装着される歯ブラシの液洩防止のための構成は多数発明・考案されている。例えば、下記特許文献１の「歯ブラシの柄」は、歯ブラシの柄部分に溝を設け、ブラシ部分の液が該溝を伝って流れるように構成している。また、下記特許文献２の「歯ブラシ」においては、柄部分の途中にフランジ状の「椀状部」を設け、ブラシ部分の液が該「椀状部」に遮られてそれ以上に流下しないように構成している。さらに下記特許文献３の「滴受け容器」にては、柄部分の中間から端部を円筒形状のケースにて覆い、流下した液は該ケース内に貯留されるようにしている。また、下記特許文献４の「歯ブラシ」にては、柄部分の内部に液の通路を設け、柄部分の端部から液を強制的に吸引するように構成している。
【０００３】
上記のうちで、最も効率的であろうと思われる構成は、下記特許文献３の「滴受け容器」であると考えられる。その理由は、溝やフランジ状の椀状部では、液の流下や飛沫の飛散を完全には防止できないが、柄部分にすっぽりとケースをかぶせればこれを略完全に防止可能だからである。また、吸引口を設けた場合には、吸引装置が必要となる。
【０００４】
しかしながら、このケースをかぶせるという構成も、やはり液洩処理としては完全なものではなかった。というのは、開口部を上方に向けて歯磨きをしている場合には、ブラシ部分から漏れ出た液は略すべてがケース内部に収納されるが、開口部が水平、あるいは下方に向いたりすると、せっかく貯留されていた液が逆流して開口部から溢れ、液洩防止効果が果たせなくなってしまうからである。
【先行技術文献】
【特許文献】
【０００５】
【特許文献１】実開平５−６０３１９号公報
【特許文献２】特開平６−９０８２２号公報
【特許文献３】登録実用新案第３０５３００５号公報
【特許文献４】特開２００６−１７４８５７号公報
【考案の概要】
【考案が解決しようとする課題】
【０００６】
歯ブラシの柄部分に装着される歯ブラシの液洩防止のための構成であって、歯ブラシの柄部分の大部分を覆うケース状のものであり、且つ歯ブラシを水平あるいは歯ブラシの先端を下方に傾けた場合にても一旦ケース内に導入された液が洩れ出ないような構成の液洩防止ケースを開発する。
【課題を解決するための手段】
【０００７】
本考案は、上記課題を解決するためになされたものであり、以下に示す解決手段を提供する。
歯ブラシの柄部分に装着される歯ブラシの液洩防止ケースであって、開口端部が拡径されて歯ブラシのブラシ部分からの液や飛沫を受け止めるように構成されている開口部、歯ブラシの柄部分を挟持する複数の突出片から構成される突出部を有する挟持部、内側に隆起する隆起部分と該隆起部分の中心に形成される空隙である弁孔部から構成される逆止弁を有する把持部、から構成され、把持部の逆止弁は、全体が軟質合成樹脂製あるいはゴム製であって、該逆止弁が構成されている把持部の本体も軟質合成樹脂製あるいはゴム製で、その形状は手に握りやすい把持部として構成されていることを特徴とする逆止弁付液洩防止ケース。
【考案の効果】
【０００８】
本考案の逆止弁付液洩防止ケースは、内側に隆起する隆起部分と該隆起部分の中心に形成される空隙である弁孔部から構成される逆止弁を有し、該逆止弁は、全体が軟質合成樹脂製あるいはゴム製であって、該逆止弁が構成されている把持部の本体も軟質合成樹脂製あるいはゴム製であるので、外側からこの把持部を把持することにより逆止弁の弁孔部が変形されて閉鎖密閉され、一旦該弁孔部を通過した液の逆流を防止することができる。
【０００９】
また、本考案の逆止弁付液洩防止ケースは、該逆止弁が構成されている把持部の本体も軟質合成樹脂製あるいはゴム製で、その形状は手に握りやすい把持部として構成されているので、使用者は自然に該把持部を握ることになるので、使用者が該把持部を握る際の握力を変化させることにより、逆止弁の弁孔部の開度を自由自在に調節することが可能である。
【００１０】
すなわち、使用者が、液を逆止弁を越えて流下させたいと考えたときには上記把持部を握る際の握力を弱めることによって逆止弁の弁孔部が開き、液は逆止弁を越えて流下させられる。また、使用者が、一旦逆止弁を越えて流下させた液の逆流を防止したいと考えれば、使用者は上記把持部を握る際の握力を強めることによって逆止弁の弁孔部を閉鎖させ、液の逆流を防止することができる。
【００１１】
要するに、液を流下させるも逆流を防止するも、使用者の上記把持部を握る際の握力のコントロール一つで自由に制御することができるので、使用者は、液を流下させたいときには上記把持部を握る際の握力を弱め、ある程度液が流下したと思えば上記把持部を握る際の握力を強めて逆流を防止すればよいので、すべては使用者の握力のコントロール次第であり、非常に使いやすく、且つ完璧に液の逆流防止が実現されるのである。
【００１２】
本考案の逆止弁付液洩防止ケースは、一切の動力機構を介することなく、使用者の直接的な手の感覚で逆止弁の弁孔部の開度を精密にコントロールできるので、使用方法は極めて簡単でありながら、所望の液洩防止を完全に実現することができ、子供でも使いやすく、かつ動力機構を使用していないために故障もなく、長くその効果を保持できるものである。また、全体を合成樹脂等の単一素材にて製造することが可能なので、リサイクル面においても優れた製品として世に出すことができるのである。
【図面の簡単な説明】
【００１３】
【図１】本考案の実施例１の逆止弁付液洩防止ケースの平面図である。
【図２】図１のＡ−Ａ線断面図である。
【図３】（ａ）図１のＢ−Ｂ線断面図である。（ｂ）図１のＣ−Ｃ線断面図である。（ｃ）図１のＤ−Ｄ線断面図である。（ｄ）図１のＥ−Ｅ線断面図である。
【図４】本考案の実施例１の逆止弁付液洩防止ケースの作用を説明するための説明図である。
【図５】（ａ）本考案の実施例１の逆止弁付液洩防止ケースの作用を説明するための説明図である。（ｂ）本考案の実施例１の逆止弁付液洩防止ケースの作用を説明するための説明図である。（ｃ）本考案の実施例１の逆止弁付液洩防止ケースの作用を説明するための説明図である。（ｄ）本考案の実施例１の逆止弁付液洩防止ケースの作用を説明するための説明図である。
【図６】（ａ）本考案の実施例１の逆止弁付液洩防止ケースの作用を説明するための説明図である。（ｂ）本考案の実施例１の逆止弁付液洩防止ケースの作用を説明するための説明図である。（ｃ）本考案の実施例１の逆止弁付液洩防止ケースの作用を説明するための説明図である。（ｄ）本考案の実施例１の逆止弁付液洩防止ケースの作用を説明するための説明図である。
【考案を実施するための形態】
【００１４】
本考案を実施するための形態を、図面を参照しながら詳細に説明する。
【実施例１】
【００１５】
＜実施例１の構成＞
本考案の実施例１の逆止弁付液洩防止ケース１は、図１に見るように、開口端部２ａが拡径された開口部２、内部に突出部３１、３２を有する挟持部３、内部に逆止弁４１、４２を有する把持部４が一体として構成され、把持部４の端部には排水ホース６が接続されている。また、挟持部３と把持部４の境界は外側に向かって隆起したフランジ部５として形成されている。本考案の実施例１の逆止弁付液洩防止ケース１は、全体が軟質合成樹脂製あるいはゴム製であるが、本質的に軟質合成樹脂製あるいはゴム製である必要があるのは把持部４であり、残りの部分は、硬質合成樹脂製あるいは金属製など他の素材とするも自由である。
【００１６】
開口部２は、図１、図２に見るように開口端部２ａが拡径されており、花弁状に形成されている。拡径されていることによって歯ブラシＴのブラシ部分Ｂからの液や飛沫を受け止め、挟持部３、把持部４を経て排水ホース６に流下させる。したがって、開口部２の開口端部２ａが拡径されていることは必須不可欠であるが、花弁状に形成されている点は意匠的意味合いが強く、単にラッパ状あるいは椀状等でも良いのは当然のことである。
【００１７】
挟持部３はフランジ部５方向に至るに従い縮径する円筒形状で、内部に歯ブラシＴの柄部分Ｇを挟持するための突出部３１、３２を有している。突出部３１は図３ａに見るように、内部に向かって突出する突出片３１ａ、３１ｂ、３１ｃ、３１ｄが均等間隔にて配設構成されており、突出片３１ａ、３１ｂ、３１ｃ、３１ｄはその基部にて逆止弁付液洩防止ケース１の本体１０と一体となっている。
【００１８】
突出片３１ａと３１ｂの間には空隙部３１ｅが、突出片３１ｂと３１ｃの間には空隙部３１ｆが、突出片３１ｃと３１ｄの間には空隙部３１ｇが、突出片３１ｄと３１ａの間には空隙部３１ｈがそれぞれ形成されている。空隙部３１ｅ、３１ｆ、３１ｇ、３１ｈは開口部２にて受け止められた液や飛沫がこの部分を通過して流下するように設けられたものである。
【００１９】
突出片３１ａ、３１ｂ、３１ｃ、３１ｄは、図３ａに見るように、歯ブラシＴの柄部分Ｇに４方向から圧接するように構成されているので、歯ブラシＴの柄部分Ｇは、突出部３１にて挟持される。突出片３１ａ、３１ｂ、３１ｃ、３１ｄを軟質合成樹脂製あるいはゴム製とすれば、柄部分Ｇのある程度のサイズの違いにも対応できる。また、柄部分Ｇの断面が長方形状であったとしても、突出片３１ａ、３１ｂ、３１ｃ、３１ｄが４方向から突出しているので、突出片３１ａ、３１ｂ、３１ｃ、３１ｄのうち少なくとも２片は柄部分Ｇに圧接されるから、柄部分Ｇは突出部３１にて挟持されることとなる。
【００２０】
突出部３２は図３ｂに見るように、内部に向かって突出する突出片３２ａ、３２ｂ、３２ｃ、３２ｄが均等間隔にて配設構成されており、突出片３２ａ、３２ｂ、３２ｃ、３２ｄはその基部にて逆止弁付液洩防止ケース１の本体１０と一体となっている。
【００２１】
突出片３２ａと３２ｂの間には空隙部３２ｅが、突出片３２ｂと３２ｃの間には空隙部３２ｆが、突出片３２ｃと３２ｄの間には空隙部３２ｇが、突出片３２ｄと３２ａの間には空隙部３２ｈがそれぞれ形成されている。空隙部３２ｅ、３２ｆ、３２ｇ、３２ｈは、突出部３１の空隙部３１ｅ、３１ｆ、３１ｇ、３１ｈ同様、開口部２にて受け止められた液や飛沫がこの部分を通過して流下するように設けられたものである。
【００２２】
突出片３２ａ、３２ｂ、３２ｃ、３２ｄも、図３ｂに見るように、歯ブラシＴの柄部分Ｇに４方向から圧接するように構成されているので、歯ブラシＴの柄部分Ｇは、突出部３２にて挟持される。突出片３２ａ、３２ｂ、３２ｃ、３２ｄを軟質合成樹脂製あるいはゴム製とすれば、柄部分Ｇのある程度のサイズの違いにも対応できる。
【００２３】
また、柄部分Ｇの断面が長方形状であったとしても、突出片３２ａ、３２ｂ、３２ｃ、３２ｄが４方向から突出しているので、突出片３２ａ、３２ｂ、３２ｃ、３２ｄのうち少なくとも２片は柄部分Ｇに圧接されるから、柄部分Ｇは突出部３２にて挟持されることとなる。
【００２４】
挟持部３においては、相似の構成の突出部３１、３２が設けられているので、歯ブラシＴの柄部分Ｇは２箇所の突出部３１、３２にて挟持されることになるから、極めて安定的に挟持されるものである。
【００２５】
把持部４は中間部がやや膨張した円筒形状で、内部に液の逆流防止のための逆止弁４１、４２を有している。逆止弁４１は、図３ｃに見るように、本体１０の肉が内側に均等に隆起した隆起部分４１ａとされることによって隆起部分４１ａの中心に構成される円形の空隙である弁孔部４１ｂを有している。また、図１、図２に見るように、歯ブラシＴの柄部分Ｇの末端は逆止弁４１に当接されるので、逆止弁４１は柄部分Ｇの係止作用も有している。なお、柄部分Ｇが逆止弁４１の弁孔部４１ｂを貫通しないように、弁孔部４１ｂの直径は柄部分Ｇの断面の長辺より短く構成される。
【００２６】
逆止弁４２は、図３ｄに見るように、本体１０の肉が内側に均等に隆起した隆起部分４２ａとされることによって隆起部分４２ａの中心に構成される円形の空隙である弁孔部４２ｂを有している。さらに、把持部４の末端には、図２に見るように排水ホース６の端部が嵌入固着されている。
【００２７】
排水ホース６は、把持部４まで流下され、逆止弁４１、４２を通過した液を逆止弁付液洩防止ケース１の外部に排出させるための構成であり、他端を排水口につないで、あるいは洗面所等の排水口近くに配置して使用すればよい。なお、排水ホース６の他端に排水ポンプを接続して強制排水するのは無論自由である。また、挟持部３と把持部４の境界には、本体１０が鍔状に外側に隆起させられたフランジ部５が設けられている。
【００２８】
＜実施例１の作用＞
実施例１の逆止弁付液洩防止ケース１は、歯ブラシＴを柄部分Ｇの末端が把持部４の逆止弁４１に当接するまで差込み、把持部４を片手で把持して使用する。このようにして歯ブラシＴのブラシ部分Ｂにて歯を磨くことにより、ブラシ部分Ｂから漏洩する液や発散する飛沫は開口部２の拡径された開口端部２ａにて受け止められ、挟持部３の突出部３１の空隙部３１ｅ、３１ｆ、３１ｇ、３１ｈ（図３ａ参照）及び突出部３２の空隙部３２ｅ、３２ｆ、３２ｇ、３２ｈ（図３ｂ参照）を通過して把持部４に流下する。
【００２９】
この際、使用者（図示せず）が、把持部４を把持する握力を弱めにすれば、逆止弁４１の弁孔部４１ｂ、逆止弁４２の弁孔部４２ｂは、図２、図３ｃ、図３ｄに見るように開口状態のままなので、液は弁孔部４１ｂ、４２ｂを通過して把持部４の端部に導かれ、排水ホース６に流入して排水される。
【００３０】
使用者が、液の逆流を防止させたいと思えば、使用者は、把持部４を把持する握力を強くする。こうすることにより、図４、図５ａ、図６ａに見るように、弁孔部４１ｂ、４２ｂは変形させられて密閉閉鎖され、液の逆流が防止される。逆止弁は４１、４２の２段構成となっているので、より完全な液洩防止効果が実現されるものである。
【００３１】
なお、弁孔部４１ｂ、４２ｂが変形させられて密閉閉鎖されるのは、逆止弁４１、４２が軟質合成樹脂製あるいはゴム製であるからであり、逆にいうなら、使用者が強く把持することによって弁孔部４１ｂ、４２ｂが変形させられて密閉閉鎖されることができるような材質を逆止弁４１、４２に用いるということである。具体的には、シリコンや塩化ビニール、合成ゴムなどが適すると考えられる。無論、各種の素材を組み合わせて所望の柔らかさを得るのは自由である。
【００３２】
把持部４の全体の断面形状が円形であり、また弁孔部４１ｂ、４２ｂも開口状態では円形であるので、把持部４にどのような方向からの圧力が加えられても、弁孔部４１ｂ、４２ｂは密閉閉鎖される。その状態を、図５、図６にて説明する。図５、図６にて、仮想線で表現された状態は、把持部４を変形させるような力が加わっていない状態を表す。
【００３３】
図５ａは図４のＸ１−Ｘ２方向の力が加えられた際の逆止弁４１の状態、図５ｂはＸ１−Ｘ２方向の力が反時計まわりに４５°回転させられたＸ３−Ｘ４方向の力が加えられた際の逆止弁４１の状態、図５ｃはＸ１−Ｘ２方向の力が反時計まわりに９０°回転させられたＸ５−Ｘ６方向の力が加えられた際の逆止弁４１の状態、図５ｄはＸ１−Ｘ２方向の力が反時計まわりに１３５°回転させられたＸ７−Ｘ８方向の力が加えられた際の逆止弁４１の状態を表す。いずれの場合にても、弁孔部４１ｂは図５ａ〜図５ｄにて直線状に見えるように密閉閉鎖されている。なお、反時計回りに回転という言い方は、すべて図５ａ〜図５ｄにおいて、反時計回りに回転させるという意味で用いている。
【００３４】
図６ａは図４のＹ１−Ｙ２方向の力が加えられた際の逆止弁４２の状態、図６ｂはＹ１−Ｙ２方向の力が反時計まわりに４５°回転させられたＹ３−Ｙ４方向の力が加えられた際の逆止弁４２の状態、図６ｃはＹ１−Ｙ２方向の力が反時計まわりに９０°回転させられたＹ５−Ｙ６方向の力が加えられた際の逆止弁４２の状態、図６ｄはＹ１−Ｙ２方向の力が反時計まわりに１３５°回転させられたＹ７−Ｙ８方向の力が加えられた際の逆止弁４２の状態を表す。いずれの場合にても、弁孔部４２ｂは図６ａ〜図６ｄにて直線状に見えるように密閉閉鎖されている。なお、反時計回りに回転という言い方は、すべて図６ａ〜図６ｄにおいて、反時計回りに回転させるという意味で用いている。
【産業上の利用可能性】
【００３５】
本考案の逆止弁付液洩防止ケースは、通常の歯ブラシに簡単に装着して使用でき、使用方法が簡単であるにもかかわらず逆止弁の効果により液洩が防止されるので、子供でも簡単に使用でき且つその効果が大であるので、広く普及されることが予想される。なお、本考案の逆止弁付液洩防止ケースに、歯ブラシのブラシ部分まで届く給水機構を付加したり、あるいは子供が飽きずに歯磨きができるように、音響や音楽を発生する発音機構を付加したりするのは当然自由である。
【符号の説明】
【００３６】
１        逆止弁付液洩防止ケース
１０      本体
２        開口部
２ａ      開口端部
３        挟持部
３１      突出部
３１ａ    突出片
３１ｂ    突出片
３１ｃ    突出片
３１ｄ    突出片
３１ｅ    空隙部
３１ｆ    空隙部
３１ｇ    空隙部
３１ｈ    空隙部
３２      突出部
３２ａ    突出片
３２ｂ    突出片
３２ｃ    突出片
３２ｄ    突出片
３２ｅ    空隙部
３２ｆ    空隙部
３２ｇ    空隙部
３２ｈ    空隙部
４        把持部
４１      逆止弁
４１ａ    隆起部分
４１ｂ    弁孔部
４２      逆止弁
４２ａ    隆起部分
４２ｂ    弁孔部
５        フランジ部
６        ホース
Ｂ        ブラシ部分
Ｇ        柄部分
Ｔ        歯ブラシ
Ｘ１      方向
Ｘ２      方向
Ｘ３      方向
Ｘ４      方向
Ｘ５      方向
Ｘ６      方向
Ｘ７      方向
Ｘ８      方向
Ｙ１      方向
Ｙ２      方向
Ｙ３      方向
Ｙ４      方向
Ｙ５      方向
Ｙ６      方向
Ｙ７      方向
Ｙ８      方向
【図１】
0003156551.tif 000003
【図２】
0003156551.tif 000004
【図３】
0003156551.tif 000005
【図４】
0003156551.tif 000006
【図５】
0003156551.tif 000007
【図６】
0003156551.tif 000008